【手続補正書】
【提出日】平成16年9月9日(2004.9.9)
【手続補正１】
【補正対象書類名】明細書
【補正対象項目名】特許請求の範囲
【補正方法】変更
【補正の内容】
【特許請求の範囲】
【請求項１】
遊技媒体を用いて所定の遊技を行うことが可能であり、貸出要求にもとづいて遊技者に貸し出す貸出遊技媒体を払い出す遊技機であって、
前記貸出遊技媒体の払い出しを行う払出手段と、
前記払出手段により払い出された貸出遊技媒体を検出する貸出遊技媒体検出手段と、
遊技機への電力供給が停止しても所定期間は記憶内容を保持することが可能であり、前記貸出要求にもとづいて払い出すべき貸出遊技媒体数のうち未だ払い出されていない未払出数を特定可能な未払出数データを記憶する変動データ記憶手段と、
遊技の進行を制御する遊技制御手段と、
前記貸出要求および前記遊技制御手段からのコマンドにもとづいて払出手段の制御を行い、前記貸出遊技媒体検出手段からの検出信号の入力処理と、前記入力処理の結果を示すデータにもとづいて前記未払出数データを更新する処理とを行う払出制御手段と、
遊技機で用いられる所定の電源の状態を監視して、遊技機への電力の供給停止にかかわる検出条件が成立したときに検出信号を出力する電源監視手段と、
前記電源監視手段によって前記検出信号が出力された後少なくとも所定の検出維持期間が経過するまでの期間において前記貸出遊技媒体検出手段による検出を可能な状態とするために、当該貸出遊技媒体検出手段および前記払出制御手段に電力を供給可能な補助電力供給手段と、
遊技機への電力供給が開始したときに、前記遊技制御手段が遊技に関わる制御が可能な状態になる時期を、前記払出制御手段が前記払出手段の制御が可能な状態になる時期よりも遅い時期となるように規制する起動順序規制手段とを備え、
前記払出制御手段は、
前記電源監視手段からの検出信号に応じて制御状態を復旧させるために必要なデータを前記変動データ記憶手段に保存するための電力供給停止時処理を実行し、電力供給が復帰し所定の復旧条件が成立したときに前記変動データ記憶手段に保存されていた記憶内容にもとづいて制御状態を電力供給が停止する前の状態に復旧させる復旧処理を実行可能であり、前記電力供給停止時処理にて、前記補助電力供給手段から電力が供給される前記貸出遊技媒体検出手段からの検出信号の入力処理を行い、
前記電力供給停止時処理にて前記貸出遊技媒体検出手段からの検出信号の入力処理の結果を示すデータを前記変動データ記憶手段に保存し、前記復旧処理にて前記入力処理の結果を示すデータにもとづいて前記未払出数データを更新する処理を実行し、
前記電力供給停止時処理にて、前記貸出遊技媒体検出手段からの検出信号の入力処理を実行した後、待機状態に移行する前に、前記変動データ記憶手段へのアクセスを禁止する処理を実行する
ことを特徴とする遊技機。
【請求項２】
払出制御手段は、電力供給が復帰したときには、電力供給が停止する前の制御状態に復旧させるか否かを決定するための複数の復旧条件がすべて成立したときに、変動データ記憶手段に保存されていた記憶内容にもとづいて制御状態を復旧させる復旧処理を実行し、前記複数の復旧条件のうち少なくとも１つの条件が不成立であったときに前記変動データ記憶手段の記憶内容を初期化する初期化処理を実行することが可能である
請求項１記載の遊技機。
【請求項３】
払出制御手段からの信号を出力するための出力ポートを含み、
前記払出制御手段は、電力供給停止時処理にて、前記出力ポートの出力状態を初期化する出力ポートクリア処理を実行した後、貸出遊技媒体検出手段からの検出信号の入力処理を行う
請求項１または請求項２記載の遊技機。
【請求項４】
検出維持期間は、払出手段により払い出された貸出遊技媒体が貸出遊技媒体検出手段の検出位置に到達するまでの期間以上の期間に設定される
請求項１から請求項３のうちのいずれかに記載の遊技機。
【請求項５】
起動順序規制手段は、遊技制御手段および払出制御手段をシステムリセットさせるためのリセット信号を出力するとともに、所定の電源が前記遊技制御手段および前記払出制御手段が動作可能な電圧レベル以上の電圧レベルとなったことを条件にリセット解除信号を出力する複数のシステムリセット手段を含み、
前記遊技制御手段および前記払出制御手段へのリセット解除信号の出力順序を規制することによって、前記遊技制御手段および前記払出制御手段が制御が可能な状態になる時期を規制する
請求項１から請求項４のうちのいずれかに記載の遊技機。
【請求項６】
システムリセット手段は、リセット解除信号を出力するタイミングを決定するためのコンデンサを含み、
前記コンデンサの容量を異ならせることによって遊技制御手段および払出制御手段が制御が可能な状態になる時期を規制する
請求項５記載の遊技機。
【請求項７】
遊技制御手段が搭載された遊技制御基板と払出制御手段が搭載された払出制御基板とを備え、
起動順序規制手段は、前記遊技制御基板および前記払出制御基板に搭載される
請求項１から請求項６のうちのいずれかに記載の遊技機。
【請求項８】
遊技制御手段が搭載された遊技制御基板と払出制御手段が搭載された払出制御基板とを備え、前記遊技制御基板および前記払出制御基板とは別個に、遊技機へ供給される電源から前記遊技制御基板および前記払出制御基板で用いられる電圧の電源を作成する電源基板を備え、
起動順序規制手段は、前記電源基板に搭載される
請求項１から請求項６のうちのいずれかに記載の遊技機。
【請求項９】
遊技制御手段および払出制御手段は電力供給の開始に関連して制御が可能になる時期よりも前に自己の診断を行うセキュリティチェックを実行可能であり、
前記遊技制御手段が実行する前記セキュリティチェック時間を、前記払出制御手段が実行する前記セキュリティチェック時間よりも長くすることにより起動順序規制手段が構成される
請求項１から請求項４のうちのいずれかに記載の遊技機。
【請求項１０】
遊技制御手段からのコマンドに応じて遊技機に設けられている演出用電気部品を制御する演出制御手段を備え、
起動順序規制手段は、前記演出制御手段が前記演出用電気部品の制御が可能な状態になる時期を規制するとともに、前記遊技制御手段が遊技に関わる制御が可能な状態になる時期を最も遅い時期となるように規制する
請求項１から請求項９のうちのいずれかに記載の遊技機。
【請求項１１】
払出制御手段は、遊技者からの遊技媒体の貸出要求を受け付け記録媒体に記録されている記録情報にもとづいて貸出要求信号を送出する記録媒体処理装置と接続可能に構成され、前記記録媒体処理装置からの貸出要求信号にもとづいて払出手段の制御を行い、
貸出遊技媒体検出手段の検出信号は、前記払出制御手段に入力される
請求項１から請求項１０のうちのいずれかに記載の遊技機。
【請求項１２】
電源監視手段は、貸出遊技媒体検出手段に供給される電源の電圧値よりも高い電圧値の電源を監視する
請求項１から請求項１１のうちのいずれかに記載の遊技機。
【請求項１３】
払出手段は、所定の入賞にもとづいて景品としての景品遊技媒体の払い出しを実行可能であり、
前記払出手段によって払い出された遊技媒体を誘導するための遊技媒体通路として前記景品遊技媒体を検出するための景品遊技媒体検出手段が設けられた景品遊技媒体通路と貸出遊技媒体検出手段が設けられた貸出遊技媒体通路とを含み、
前記遊技媒体通路を前記景品遊技媒体通路と前記貸出遊技媒体通路とのうちいずれか一方に切り換える通路切換手段と、
前記通路切換手段を駆動する電気的駆動源と、
少なくとも検出維持期間が経過するまでの間は前記通路切換手段の状態を保持可能な作動状態保持手段とを備えた
請求項１から請求項１２のうちいずれかに記載の遊技機。
【請求項１４】
払出制御手段は、電力供給停止時処理にて払出手段が貸出遊技媒体の払出中であったか否かを判定し、
貸出遊技媒体の払出中であったときにのみ、貸出遊技媒体検出手段の入力処理を行う
請求項１から請求項１３のうちいずれかに記載の遊技機。
【手続補正２】
【補正対象書類名】明細書
【補正対象項目名】００１４
【補正方法】変更
【補正の内容】
【００１４】
【課題を解決するための手段】
本発明による遊技機は、遊技媒体を用いて所定の遊技を行うことが可能であり、貸出要求（例えば、カードユニット５０からの球貸し要求）にもとづいて遊技者に貸し出す貸出遊技媒体を払い出す遊技機であって、貸出遊技媒体の払い出しを行う払出手段（例えば球払出装置９７）と、払出手段により払い出された貸出遊技媒体を検出する貸出遊技媒体検出手段（例えば球貸しカウントスイッチ３０１Ｂ）と、遊技機への電力供給が停止しても所定期間は記憶内容を保持することが可能であり、貸出要求にもとづいて払い出すべき貸出遊技媒体数のうち未だ払い出されていない未払出数を特定可能な未払出数データ（例えば貸し球未払出個数カウンタ）を記憶する変動データ記憶手段（例えば主基板３１が備える電源バックアップされたＲＡＭ５５や払出制御基板３７が備える電源バックアップされたＲＡＭ）と、遊技の進行を制御する遊技制御手段（例えば、ＣＰＵ５６等）と、貸出要求および遊技制御手段からのコマンド（例えば払出制御コマンド）にもとづいて払出手段の制御を行い、貸出遊技媒体検出手段からの検出信号の入力処理と、入力処理の結果を示すデータにもとづいて未払出数データを更新する処理とを行う払出制御手段（例えば払出制御用ＣＰＵ３７１）と、遊技機で用いられる所定の電源の状態を監視して、遊技機への電力の供給停止にかかわる検出条件（例えば監視電圧であるＶSL（＋３０Ｖ）の電圧値が＋２２Ｖまで低下したときに成立する条件）が成立したときに検出信号（例えば電源断信号）を出力する電源監視手段（例えば電源監視用ＩＣ９０２）と、電源監視手段によって検出信号が出力された後少なくとも所定の検出維持期間（例えば、電力供給停止時処理にて球貸しカウントスイッチ３０１Ｂの検出信号の入力処理が実行される場合におけるステップＳ４６６で設定される期間、ステップＳ８１６で設定される期間）が経過するまでの期間において貸出遊技媒体検出手段による検出を可能な状態とするために、当該貸出遊技媒体検出手段および払出制御手段に電力を供給可能な補助電力供給手段（例えばコンデンサ９２３を備えるコンバータＩＣ９２０）と、遊技機への電力供給が開始したときに、遊技制御手段が遊技に関わる制御が可能な状態になる時期を払出制御手段が払出手段の制御が可能な状態になる時期よりも遅い時期となるように規制する起動順序規制手段（例えば遅延回路９６０、リセットＩＣ６５１Ａ，６５１Ｂの外付けのコンデンサ）とを備え、払出制御手段が、電源監視手段からの検出信号に応じて制御状態を復旧させるために必要なデータ（例えばＣＰＵ５６や払出制御用ＣＰＵ３７１に用いられるレジスタのデータ等）を変動データ記憶手段に保存するための電力供給停止時処理（例えば図４９〜図５１に示す処理）を実行し、電力供給が復帰し所定の復旧条件（例えばステップＳ７０７〜ステップＳ７０９の条件）が成立したときに変動データ記憶手段に保存されていた記憶内容にもとづいて制御状態を電力供給が停止する前の状態に復旧させる復旧処理（例えば図４８に示す払出状態復旧処理）を実行可能であり、電力供給停止時処理にて、補助電力供給手段から電力が供給される貸出遊技媒体検出手段からの検出信号の入力処理（例えば図５０におけるステッ���Ｓ８２７〜ステップＳ８３４の処理）を行い、電力供給停止時処理にて貸出遊技媒体検出手段からの検出信号の入力処理の結果を示すデータを変動データ記憶手段に保存（例えばステップステップＳ８７３）し、復旧処理にて入力処理の結果を示すデータにもとづいて未払出数データを更新する処理（例えばステップＳ８９０）を実行し、電力供給停止時処理にて、貸出遊技媒体検出手段からの検出信号の入力処理を実行した後、待機状態に移行する前に、変動データ記憶手段へのアクセスを禁止する処理（例えばステップＳ８４６）を実行することを特徴とする。
【手続補正３】
【補正対象書類名】明細書
【補正対象項目名】００１５
【補正方法】変更
【補正の内容】
【００１５】
払出制御手段が、電力供給が復帰したときには、電力供給が停止する前の制御状態に復旧させるか否かを決定するための複数の復旧条件（例えばステップＳ７０７〜ステップＳ７０９の条件）がすべて成立したときに、変動データ記憶手段に保存されていた記憶内容にもとづいて制御状態を復旧させる復旧処理を実行し、複数の復旧条件のうち少なくとも１つの条件が不成立であったときに変動データ記憶手段の記憶内容を初期化する初期化処理（例えばステップＳ７１１〜ステップＳ７１４の処理）を実行することが可能であるように構成されていてもよい。
【手続補正４】
【補正対象書類名】明細書
【補正対象項目名】００１６
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００３０
【補正方法】変更
【補正の内容】
【００３０】
払出制御手段が、電力供給停止時処理にて払出手段が貸出遊技媒体の払出中であったか否かを判定（例えば球貸し処理中フラグの状態に応じて判定。例えばステップＳ８４８）し、貸出遊技媒体の払出中であったときにのみ、貸出遊技媒体検出手段の入力処理（例えば図６６におけるステップＳ８１６ａ〜ステップＳ８３４の処理）を行うように構成されていてもよい。
【手続補正８】
【補正対象書類名】明細書
【補正対象項目名】０７１５
【補正方法】変更
【補正の内容】
【０７１５】
【発明の効果】
以上のように、請求項１記載の発明によれば、遊技機を、遊技機への電力供給が開始したときに、遊技制御手段が遊技に関わる制御が可能な状態になる時期を、払出制御手段が払出手段の制御が可能な状態になる時期よりも遅い時期となるように規制する起動順序規制手段を備え、払出制御手段が、電力供給停止時処理にて、補助電力供給手段から電力が供給される貸出遊技媒体検出手段からの検出信号の入力処理を行い、電力供給停止時処理にて貸出遊技媒体検出手段からの検出信号の入力処理の結果を示すデータを変動データ記憶手段に保存し、復旧処理にて入力処理の結果を示すデータにもとづいて未払出数データを更新する処理を実行し、電力供給停止時処理にて、貸出遊技媒体検出手段からの検出信号の入力処理を実行した後、待機状態に移行する前に、変動データ記憶手段へのアクセスを禁止する処理を実行するように構成にしたので、電力供給停止時処理において、払い出された遊技媒体を確実に検出することが可能になる。また、電力供給開始時に、遊技制御手段からのコマンドを受信する払出制御手段が、コマンドを確実に受信することができるという効果がある。さらに、電力供給停止時処理での入力処理を迅速に行うことができる。また、電力供給停止時処理後に変動データ記憶手段の内容が破壊されること等を防止することができる。
【手続補正９】
【補正対象書類名】明細書
【補正対象項目名】０７１６
【補正方法】変更
【補正の内容】
【０７１６】
請求項２記載の発明では、払出制御手段が、電力供給が復帰したときには、電力供給が停止する前の制御状態に復旧させるか否かを決定するための複数の復旧条件がすべて成立したときに、変動データ記憶手段に保存されていた記憶内容にもとづいて制御状態を復旧させる復旧処理を実行し、複数の復旧条件のうち少なくとも１つの条件が不成立であったときに変動データ記憶手段の記憶内容を初期化する初期化処理を実行することが可能であるように構成されているので、不確実な状態から制御状態が復旧してしまうことが低減される。
【手続補正１０】
【補正対象書類名】明細書
【補正対象項目名】０７１７
【補正方法】削除
【補正の内容】
【手続補正１１】
【補正対象書類名】明細書
【補正対象項目名】０７１８
【補正方法】変更
【補正の内容】
【０７１８】
請求項３記載の発明では、払出制御手段が、電力供給停止時処理にて、出力ポートの出力状態を初期化する出力ポートクリア処理を実行した後、貸出遊技媒体検出手段からの検出信号の入力処理を行うように構成されているので、貸出遊技媒体検出手段からの検出信号の入力処理に関連しない電気部品により電力が消費されてしまうことを回避することができる。
【手続補正１２】
【補正対象書類名】明細書
【補正対象項目名】０７１９
【補正方法】削除
【補正の内容】
【手続補正１３】
【補正対象書類名】明細書
【補正対象項目名】０７２０
【補正方法】変更
【補正の内容】
【０７２０】
請求項４記載の発明では、検出維持期間が、払出手段により払い出された貸出遊技媒体が貸出遊技媒体検出手段の検出位置に到達するまでの期間以上の期間に設定されているので、払い出された遊技媒体を確実に検出することができる。
【手続補正１４】
【補正対象書類名】明細書
【補正対象項目名】０７２１
【補正方法】削除
【補正の内容】
【手続補正１５】
【補正対象書類名】明細書
【補正対象項目名】０７２２
【補正方法】変更
【補正の内容】
【０７２２】
請求項５記載の発明では、起動順序規制手段が、遊技制御手段および払出制御手段へのリセット解除信号の出力順序を規制することによって遊技制御手段および払出制御手段が制御が可能な状態になる時期を規制するように構成されているので、リセット解除信号によって正確に遊技制御手段および払出制御手段を制御可能な状態とする時期を規制することができる。
【手続補正１６】
【補正対象書類名】明細書
【補正対象項目名】０７２３
【補正方法】変更
【補正の内容】
【０７２３】
請求項６記載の発明では、システムリセット手段が、リセット解除信号を出力するタイミングを決定するためのコンデンサを含み、コンデンサの容量を異ならせることによって遊技制御手段および払出制御手段が制御が可能な状態になる時期を規制するように構成されているので、簡単な構成で起動順序規制手段を実現することができる。
【手続補正１７】
【補正対象書類名】明細書
【補正対象項目名】０７２４
【補正方法】変更
【補正の内容】
【０７２４】
請求項７記載の発明では、起動順序規制手段が、遊技制御基板および払出制御基板に搭載されるので、遊技制御手段あるいは払出制御手段と起動順序規制手段との間の経路を短くすることができ、ノイズの影響を受けにくくすることができる。
【手続補正１８】
【補正対象書類名】明細書
【補正対象項目名】０７２５
【補正方法】変更
【補正の内容】
【０７２５】
請求項８記載の発明では、遊技制御基板および払出制御基板とは別個に、遊技機へ供給される電源から遊技制御基板および払出制御基板で用いられる電圧の電源を作成する電源基板を備え、起動順序規制手段が、電源基板に搭載される構成にしたので、起動順序規制手段を制御基板毎に別個に設ける必要がなくなる。
【手続補正１９】
【補正対象書類名】明細書
【補正対象項目名】０７２６
【補正方法】変更
【補正の内容】
【０７２６】
請求項９記載の発明では、遊技制御手段および払出制御手段が電力供給の開始に関連して制御が可能になる時期よりも前に自己の診断を行うセキュリティチェックを実行可能であり、遊技制御手段が実行するセキュリティチェック時間を、払出制御手段が実行するセキュリティチェック時間よりも長くすることにより起動順序規制手段が構成されるので、ソフトウェア的に起動順序規制手段の機能を実現することができる。
【手続補正２０】
【補正対象書類名】明細書
【補正対象項目名】０７２７
【補正方法】変更
【補正の内容】
【０７２７】
請求項１０記載の発明では、遊技制御手段からのコマンドに応じて遊技機に設けられている演出用電気部品を制御する演出制御手段を備え、起動順序規制手段が、演出制御手段が演出用電気部品の制御が可能な状態になる時期を規制するとともに、遊技制御手段が遊技に関わる制御が可能な状態になる時期を最も遅い時期となるように規制するように構成されているので、遊技制御手段からの制御信号を受信する演出制御手段が、コマンドを確実に受信することができる。
【手続補正２１】
【補正対象書類名】明細書
【補正対象項目名】０７２８
【補正方法】変更
【補正の内容】
【０７２８】
請求項１１記載の発明では、貸出遊技媒体検出手段の検出信号が、払出制御手段に入力されるように構成されているので、貸出遊技媒体の払い出し状況を、貸出要求信号が入力される払出制御手段で管理することでより正確な貸出遊技媒体の管理が可能となる。
【手続補正２２】
【補正対象書類名】明細書
【補正対象項目名】０７２９
【補正方法】変更
【補正の内容】
【０７２９】
請求項１２記載の発明では、電源監視手段が、貸出遊技媒体検出手段に供給される電源の電圧値よりも高い電圧値の電源を監視するように構成されているので、電源監視手段による検出信号の出力前に貸出遊技媒体検出手段の機能が停止してしまうことを防止することができる。
【手続補正２３】
【補正対象書類名】明細書
【補正対象項目名】０７３０
【補正方法】変更
【補正の内容】
【０７３０】
請求項１３記載の発明では、遊技媒体通路を景品遊技媒体通路と貸出遊技媒体通路とのうちいずれか一方に切り換える通路切換手段と、通路切換手段を駆動する電気的駆動源と、少なくとも検出維持期間が経過するまでの間は通路切換手段の状態を保持可能な作動状態保持手段とが備えられているので、電力供給停止時処理で、払い出された貸出遊技媒体を貸出遊技媒体検出手段にて確実に検出することができる。
【手続補正２４】
【補正対象書類名】明細書
【補正対象項目名】０７３１
【補正方法】変更
【補正の内容】
【０７３１】
請求項１４記載の発明では、払出制御手段が、電力供給停止時処理にて払出手段が貸出遊技媒体の払出中であったか否かを判定し、貸出遊技媒体の払出中であったときにのみ、貸出遊技媒体検出手段の入力処理を行うように構成されているので、電力供給停止時処理を迅速に行うことができる。